(57)【要約】【課題】油煙排出機の油煙排出管に接続する油煙排出管電動排気開閉装置を提供する。【解決手段】本考案の油煙排出管電動排気開閉装置は、両端が相通する開口を有する接続管と、接続管内部に設置され、その軸桿の両端が接続管の両側の相対する管壁に貫通設置されるスロットルと、接続管の外側方に位置し、その駆動器が油煙排出機の吸気モータと相互に電気制御し、協力動作する駆動機構と、を含み、油煙排出機が吸気モータを起動し、油煙排気を強制排出する時、駆動機構の駆動器がスロットル及びその軸桿の転動を連動し、スロットルが垂直開放状態を呈するよう制御し、油煙排ガスをスロットル及び接続管を経由して外に排出し、油煙排出機の吸気モータが運転を停止する時、駆動機構の駆動器は、スロットル及びその軸桿の転動を連動し、スロットルが水平閉鎖状態を呈するよう制御する。【選択図】図２
0003172070.tif 000002
【実用新案登録請求の範囲】
【請求項１】
油煙排出機の油煙排出管に接続する油煙排出管電動排気開閉装置であって、該電動排気開閉装置は、両端が相通する開口を有する接続管と、接続管内部に設置され、その軸桿の両端が接続管の両側の相対する管壁に貫通設置されるスロットルと、接続管の外側方に位置し、その駆動器が油煙排出機の吸気モータと相互に電気制御し、協力動作する駆動機構と、を含み、油煙排出機が吸気モータを起動し、油煙排気を強制排出する時、駆動機構の駆動器がスロットル及びその軸桿の転動を連動し、スロットルが垂直開放状態を呈するよう制御し、油煙排ガスをスロットル及び接続管を経由して外に排出し、油煙排出機の吸気モータが運転を停止する時、駆動機構の駆動器は、スロットル及びその軸桿の転動を連動し、スロットルが水平閉鎖状態を呈するよう制御する油煙排出管電動排気開閉装置。
【請求項２】
前記駆動機構の駆動器は、吸気モータと相互に電気制御して連動する請求項１に記載の油煙排出管電動排気開閉装置。
【請求項３】
前記駆動機構の駆動器は、継電器として設け、接続管外側に設置され、継電器は、往復移動を電気制御する動作ロッドを設け、スロットルの軸桿の一端にギアを設け、動作ロッドは、ラック部を設け、スロットルの軸桿の相対ギアをかみ合わせ連動する請求項１に記載の油煙排出管電動排気開閉装置。
【請求項４】
前記接続管内部に２つの相対する同一形状の隣り合うスロットルを設置し、２つのスロットルの軸桿の一端にそれぞれギアを設け、継電器の動作ロッドの相対するラック部に噛み合う請求項３に記載の油煙排出管電動排気開閉装置。
【考案の詳細な説明】
【技術分野】
【０００１】
本考案は、油煙排出機に関し、特に、油煙排出機の油煙排出管電動排気開閉装置に関する。
【背景技術】
【０００２】
一般の油煙排出機内部フードの構造は、通常、１つの排出口及び２つの吸入口を含み、排出口は、フードの上端に位置し、２つの吸入口は、それぞれフードの相対する両側に位置する。フード内部は、モータ及び離心式換気扇を設けることができ、排出口を室外に延伸する油煙排出管に接続し、換気扇がモータの駆動を受けて回転する時、調理で発生する油煙をフードの各吸入口を経由しフード内部に吸入し、更に、フードの排出口から油煙排出管に沿って室外に送出することができる。
【０００３】
しかしながら、上記フードの排出口は、油煙排出管が直接室外に連通しているので、換気扇が回転を停止時、室外の強風、油煙排気、異臭、灰塵又は空気に伴い漂流する異物が油煙排出管を経由してフード内部に進入し、その後、油煙排出機の２つの吸入口を通過し、下向きに室内の厨房に進入し、屋内生活の品質に深刻に影響を及ぼす。従って、上記の問題を如何に解決するかは、関連業者が研究発展を欲する方向となっている。
【先行技術文献】
【特許文献】
【０００４】
【特許文献１】特開２００７−５１８１４公報
【考案の概要】
【考案が解決しようとする課題】
【０００５】
本考案の目的は、油煙排出機の油煙排出管に電動排気開閉装置を結合し、室外の強風、油煙排気、異臭、灰塵が油煙排出機及び室内の厨房に侵入することを阻止し、屋内生活の品質及び安全性を確保することにある。
【課題を解決するための手段】
【０００６】
上記の目的を達成する為、本考案の電動排気開閉装置は、両端が相通する開口を有する接続管と、接続管内部に設置され、その軸桿の両端が接続管の両側の相対する管壁に貫通設置されるスロットルと、接続管の外側方に位置し、その駆動器が油煙排出機の吸気モータと相互に電気制御し、協力動作する駆動機構と、を含み、油煙排出機が吸気モータを起動し、油煙排気を強制排出する時、駆動機構の駆動器がスロットル及びその軸桿の転動を連動し、スロットルが垂直開放状態を呈するよう制御し、油煙排ガスをスロットル及び接続管を経由して外に排出し、油煙排出機の吸気モータが運転を停止する時、駆動機構の駆動器は、スロットル及びその軸桿の転動を連動し、スロットルが水平閉鎖状態を呈するよう制御する。
【０００７】
好適実施例において、駆動機構の駆動器は、継電器として設け、接続管外側に設置され、継電器は、往復移動を電気制御する動作ロッドを設け、スロットルの軸桿の一端にギアを設け、動作ロッドは、ラック部を設け、スロットルの軸桿の相対ギアをかみ合わせ連動する。
【０００８】
更に、接続管内部に２つの相対する同一形状の隣り合うスロットルを設置し、２つのスロットルの軸桿の一端にそれぞれギアを設け、継電器の動作ロッドの相対するラック部に噛み合う。
【考案の効果】
【０００９】
本考案は、油煙排出機の油煙排出管に電動排気開閉装置を結合し、室外の強風、油煙排気、異臭、灰塵が油煙排出機及び室内の厨房に侵入することを阻止し、屋内生活の品質及び安全性を確保する。
【図面の簡単な説明】
【００１０】
【図１】本考案の好適実施例の油煙排出管電動排気開閉装置の使用状態図である。
【図２】図１の電動排気開閉装置の立体図である。
【図３】図１の電動排気開閉装置の閉鎖状態図である。
【図４】図３の電動排気開閉装置の側面図である。
【図５】図３の電動排気開閉装置の開閉状態図である。
【図６】図５の電動排気開閉装置の主要構成部材の立体分解図である。
【図７】本考案のもう１つの好適実施例の油煙排出管電動排気開閉装置の使用状態図である。
【図８】図７の電動排気開閉装置の立体図である。
【図９】図７の電動排気開閉装置の閉鎖状態図である。
【図１０】図９の電動排気開閉装置の開放状態図である。
【図１１】本考案の更にもう１つの好適実施例の油煙排出管電動排気開閉装置の使用状態図である。
【図１２】図１１の電動排気開閉装置の閉鎖状態図である。
【図１３】図１２の電動排気開閉装置の開放状態図である。
【考案を実施するための形態】
【００１１】
本考案の上記目的を達成する為に採用する技術手段及びその効果について、実施例を挙げ、図面に合わせて以下に説明する。
【００１２】
先ず、図１、図２、図３を参照し、本考案は、油煙排出機５及び油煙排出管４に対し電動排気開閉装置を設計し、油煙排出機５は、同様に２つの吸気モータ５２，５３及びその電源ケーブル５５、制御開閉５４を設け、換気扇（図示せず）を駆動回転させ、油煙排出口５１を経由し外へ油煙排ガスを排出する。図中に示すように、本考案の電動排気開閉装置は、接続管１と、スロットル２と、駆動機構３から構成され、接続管１を油煙排出機５の油煙排出口５１及び油煙排出管４の間に接続し、接続管１の相対開閉を制御する。
【００１３】
図１〜図６に示す好適実施例において、本考案の電動排気開閉装置は、油煙排出機５の油煙排出管４及び油煙排出口５１の間に接続され、接続管１は、直立管壁１３として設けられ、両端の相通する開口１１，１２を有し、スロットル２は、接続管１内部に軸回転可能に設けられ、その軸桿２１は、スロットル２の通孔２２に貫通設置固定され、両端は、接続管１の両側の相対管壁１３の軸孔１４に貫通設置される。駆動機構３は、
接続管１の外側方の支持台１５に位置し、その駆動器３１及び油煙排出機５の吸気モータ５２，５３は、相互に電気制御され、協力動作又は連動する。
【００１４】
油煙排出機５は、吸気モータ５２，５３を起動し、油煙排ガスを強制排出する時、図５に示すように、駆動機構３の駆動器３１は、スロットル３１は、スロットル２及びその軸桿２１の回転を連動し、スロットル２が垂直開放状態を呈するよう制御し、油煙排ガスを油煙排出口５１、スロットル２及び接続管１を経由して外に排出する。油煙排出機５の吸気モータ５２，５３が運転を停止する時、駆動機構３の駆動器３１がスロットル２及びその軸桿２１の回転を連動し、スロットル２が水平閉鎖状態を呈するよう制御し、室外の強風、油煙排ガス、異臭、灰塵等が油煙排出機５及び室内厨房に侵入することを阻止し、屋内の生活品質及び安全衛生を確保する。
【００１５】
続いて、本考案の電動排気開閉装置の組み合わせ構造を説明し、図１〜図６に示すように、駆動機構３の駆動器３１は、継電器として設け、接続管１外側の支持台１５上に設置し、その電源ケーブル３５は、油煙排出機５の制御開閉５４又は電源ケーブル５５に電気接続する。この継電器は、導孔３３に沿って往復移動する動作ロッド３２を電気制御し、スロットル２の軸桿２１の一端は、ギア２３を設け、動作ロッド３２は、ラック部３４を設け、スロットル２の軸桿２１に噛み合い、相対してギア２３を転動させ、スロットル２の開閉を制御する。
【００１６】
図７〜図１０に示す他の好適実施例において、電動排気開閉装置のスロットル２ａは、接続管１内部の支持環１６中に設置され、駆動機構３ａの駆動器３１は、直線方向に設けられ、スロットル２ａの開閉を制御する。
【００１７】
図１１、図１２及び図１３に示す更にもう１つの好適実施例では、電動排気開閉装置は、同様に接続管６、２つのスロットル７１，７２及び駆動機構８から構成され、接続管６の両端の開口６１，６２及び管壁６３内部の２つの相対する同一形状の隣り合うスロットル７１，７２を軸回転可能に設置し、２つのスロットル７１，７２の軸桿７３，７４一端にそれぞれギア７５，７６を設け、駆動機構８の駆動器８１（継電器）の動作ロッド８２の相対するラック部８３に噛み合い、スロットル７１，７２の開閉を制御する。上記のように、本考案は、油煙排出機の油煙排出管に電動排気開閉装置を結合し、室外の強風、油煙排ガス、異臭、灰塵が内向きに油煙排出機及び室内厨房に侵入することを阻止し、屋内の生活品質及び安全衛生を確保することができる。
【符号の説明】
【００１８】
１  接続管
１１  開口
１２  開口
１３  管壁
１４  軸孔
１５  支持台
２  スロットル
２３  ギア
２ａ  スロットル
３  駆動機構
３１  駆動器
３２  動作ロッド
３３  導孔
３４  ラック部
３５  電源ケーブル
３ａ  駆動機構
４  油煙排出管
５  油煙排出機
５１  油煙排出口
５２  吸気モータ
５３  吸気モータ
５４  制御開閉
５５  電源ケーブル
６  接続管
６１  開口
６２  開口
６３  管壁
７１  スロットル
７２  スロットル
７３  軸桿
７４  軸桿
７５  ギア
７６  ギア
８  駆動機構
８１  駆動器
８２  動作ロッド
８３  ラック部
【図１】
0003172070.tif 000003
【図２】
0003172070.tif 000004
【図３】
0003172070.tif 000005
【図４】
0003172070.tif 000006
【図５】
0003172070.tif 000007
【図６】
0003172070.tif 000008
【図７】
0003172070.tif 000009
【図８】
0003172070.tif 000010
【図９】
0003172070.tif 000011
【図１０】
0003172070.tif 000012
【図１１】
0003172070.tif 000013
【図１２】
0003172070.tif 000014
【図１３】
0003172070.tif 000015